(57)【要約】    【課題】  コストアップを招くことなく、ズーム駆動に伴うフレキシブルプリント基板の変形、損傷を未然に防止することができるレンズ鏡筒装置を提供する。    【解決手段】  カメラ本体から第１光学ユニット９に駆動信号を供給するためのフレキシブルプリント基板１０は、第１直進ガイド筒７の外周側に配置されている第１基板部１０ｄと、第１基板部１０ｄに一体的に連なり、第１直進ガイド筒７の外周側から内周側に向けてコ字状に折り曲がる折り曲がり基板部１０ｅと、折り曲がり基板部１０ｅに一体的に連なり、第１直進ガイド筒７の内周に沿って光軸方向へ第１光学ユニット９に向けて延びる第２基板部１０ｆとを有する。第２基板部１０ｆには、重ね合せ部１０ａが重ね合わされている。【選択図】      図５
2005221666.tif 000002
【特許請求の範囲】
【請求項１】
光軸方向へ移動可能な移動筒と、前記移動筒に対して光軸方向へ相対移動可能に該移動筒に支持され、フィルム面への露光を制御するための光学ユニットと、カメラ本体と前記光学ユニットとを電気的に接続するためのフレキシブルプリント基板とを備えるレンズ鏡筒装置において、
前記フレキシブルプリント基板は、前記移動筒の外周側に配置されている第１の基板部と、該第１の基板部に一体的に連なり、前記移動筒の外周側から内周側に向けて折り曲がる折り曲がり基板部と、該折り曲がり基板部に一体的に連なり、前記移動筒の内周に沿って前記光軸方向へ前記光学ユニットに向けて延びる第２の基板部とを有し、
前記フレキシブルプリント基板の前記第２の基板部の一部は、幅方向に拡張され、該拡張された一部は、前記第２の基板部分に重なるように折り返されていることを特徴とするレンズ鏡筒装置。
【請求項２】
前記拡張された一部と前記第２の基板部とは、はんだランドを用いて接合されていることを特徴とする請求項１記載のレンズ鏡筒装置。
【請求項３】
前記拡張された一部と前記第２の基板部とは、両面テープを用いて接合されていることを特徴とする請求項１記載のレンズ鏡筒装置。
【請求項４】
前記拡張された一部の前記第２の基板部との境界部位には、厚さ方向に貫通する１つ以上の穴が形成されていることを特徴とする請求項１記載のレンズ鏡筒装置。
【請求項５】
前記拡張された一部には、パターンが形成されていることを特徴とする請求項１記載のレンズ鏡筒装置。
【請求項６】
請求項１ないし５のいずれか１つに記載のレンズ鏡筒装置を備えることを特徴とするカメラ。
【発明の詳細な説明】
【技術分野】
【０００１】
本発明は、カメラ本体と移動筒に対して光軸方向に相対移動可能な光学ユニットとが、フレキシブルプリント基板を介して電気的に接続されるレンズ鏡筒装置およびそれを備えるカメラに関する。
【背景技術】
【０００２】
ズーム機能を備えたレンズシャッタ式カメラは、シャッタユニットと、シャッタユニットを光軸方向に進退可能に支持するガイド筒とを有する。シャッタユニットは、カメラ本体とフレキシブルプリント基板を介して接続され、フレキシブルプリント基板には、カメラ本体側からシャッタユニットに駆動信号を供給するための配線パターンが形成されている（例えば、特許文献１を参照）。
【０００３】
このようなフレキシブルプリント基板は、その一方の端部がカメラ本体側に固定され、他方の端部がシャッタユニットに接続される基板からなる。フレキシブルプリント基板は、ガイド筒の後端部に対応する位置でガイド筒の内周側に折り曲がる折り曲がり部と、該折り曲がり部からガイド筒の内周に沿って光軸方向へシャッタユニットに向けて延びる部分とを有する。
【０００４】
フレキシブルプリント基板のガイド筒の内周側にある部分は、柔軟性を有するので、ズーム駆動時に、一部が変形してシャッタユニットの光路内に侵入することがある。また、ズーム駆動後、シャッタユニットを初期位置に戻す際に、フレキシブルプリント基板が初期状態に戻らず、局部的に折り曲げられて配線パターンが損傷される恐れがある。このようなズーム駆動に伴うフレキシブルプリント基板の変形、損傷を防止するために、フレキシブルプリント基板の変形を規制する部材が設けられている。
【特許文献１】実公平４−２２３３２号公報
【発明の開示】
【発明が解決しようとする課題】
【０００５】
しかしながら、上述した規制部材を設けることによって、部品の点数が増し、組立に掛かる工数が多くなる。ひいては、コストアップを招くことになる。
【０００６】
本発明は、コストアップを招くことなく、ズーム駆動に伴うフレキシブルプリント基板の変形、損傷を未然に防止することができるレンズ鏡筒装置およびそれを用いたカメラを提供することにある。
【課題を解決するための手段】
【０００７】
本発明は、上記目的を達成するため、光軸方向へ移動可能な移動筒と、前記移動筒に対して光軸方向へ相対移動可能に該移動筒に支持され、フィルム面への露光を制御するための光学ユニットと、カメラ本体と前記光学ユニットとを電気的に接続するためのフレキシブルプリント基板とを備えるレンズ鏡筒装置において、前記フレキシブルプリント基板は、前記移動筒の外周側に配置されている第１の基板部と、該第１の基板部に一体的に連なり、前記移動筒の外周側から内周側に向けて折り曲がる折り曲がり基板部と、該折り曲がり基板部に一体的に連なり、前記移動筒の内周に沿って前記光軸方向へ前記光学ユニットに向けて延びる第２の基板部とを有し、前記フレキシブルプリント基板の前記第２の基板部の一部は、幅方向に拡張され、該拡張された一部は、前記第２の基板部分に重なるように折り返されていることを特徴とする。
【０００８】
また、本発明は、上記目的を達成するため、上記レンズ鏡筒装置を備えたレンズ鏡筒装置を提供する。
【発明の効果】
【０００９】
本発明によれば、コストアップを招くことなく、ズーム駆動に伴うフレキシブルプリント基板の変形、損傷を未然に防止することができる。
【発明を実施するための最良の形態】
【００１０】
以下、本発明の実施の形態について図面を参照しながら説明する。
【００１１】
（第１の実施の形態）
図１は本発明の第１の実施の形態に係るレンズ鏡筒装置の分解斜視図、図２は図１のレンズ鏡筒装置の沈胴状態を示す縦断面図、図３は図２のＡ部の詳細図、図４（ａ）はフレキシブルプリント基板の展開図、図４（ｂ）は図４（ａ）のＢ部の詳細図、図５はフレキシブルプリント基板の実装状態を示す斜視図、図６は図５のＣ部の詳細図である。
【００１２】
レンズ鏡筒装置は、図１および図２に示すように、カメラ本体に固定された固定筒１を備える。固定筒１内には、メスヘリコイドが形成され、固定筒１のメスヘリコイドは、第３駆動筒２の後端の外周部に形成されたオスヘリコイドとヘリコイド結合する。第３駆動筒２の内周部には、バヨネット結合により第３直進筒３が回転可能に結合されている。第３駆動筒２の後端のオスへリコイドには、ギア部（図示せず）が一体的に形成されており、このギア部にはモータからの駆動力がナルトギア４を介して伝達される。このモータからの駆動力が上記ギア部に伝達されると、第３駆動筒２は、光軸方向に沿って回転しながら進退する。これに伴い、第３直進ガイド筒３は、第３駆動筒２とバヨネット結合されているとともに固定筒１により円周方向への移動が規制されているので、光軸方向に沿って進退する。
【００１３】
第３直進ガイド筒３の内周部には、メスヘリコイドが形成され、このメスヘリコイドは、第２駆動筒５の後端の外周部に形成されたオスへリコイドとヘリコイド結合される。また、第２駆動筒５の後端のヘリコイド上には、第３駆動筒２の回転に伴い同位相で回転駆動されるガイド部材（図示せず）が設けられている。このガイド部材は、第３駆動筒２の内径部に形成された光軸方向溝（図示せず）と摺動可能に嵌合することによって、第２駆動筒５が回転しながら第３直進ガイド筒３に対して進退することを可能とする。第２駆動筒５の内周部には、第２直進ガイド筒６が、第２駆動筒５と第３直進ガイド筒３の関係と同様に、バヨネット結合により回転可能に保持されている。
【００１４】
第２駆動筒５は、第１直進ガイド筒７をその回転を規制しながら光軸方向に摺動可能に支持する。第１直進ガイド筒７の外周後端部には、オスヘリコイドが形成され、このオスヘリコイドは、第２二駆動筒５の内周部に形成されたメスヘリコイドと結合される。上述のように第２駆動筒５が回転すると、第１直進ガイド筒７は、その回転位相が第２直進ガイド筒６により規制を受けているので、第２駆動筒５に対して光軸方向に進退する。
【００１５】
さらに、第１直進ガイド筒７には、第１カム筒８が回転可能にバヨネット結合されている。第１カム筒８は、上述した同様の係合方法により、第２駆動筒５と同位相で回転可能である。そして、第１カム筒８の内周部には、第１光学ユニット９が公知のカム結合により結合され、第１光学ユニット９は、第１直進ガイド筒７に対して光軸方向に進退可能に構成されている。また、第１光学ユニット９には、第１カム筒８の内周に形成されたカム溝と嵌合するカムピン９ａが設けられている。
【００１６】
第１光学ユニット９には、電磁駆動されるシャッタユニット（図示せず）が搭載されており、このシャッタユニットには、カメラ本体からフレキシブルプリント基板１０を介して駆動信号が供給される。フレキシブルプリント基板１０には、上記駆動信号を供給するための配線パターンが形成されている。フレキシブルプリント基板１０の途中部位には、図１〜図３に示すように、重ね合せ部１０ａが設けられている。
【００１７】
フレキシブルプリント基板１０は、図５に示すように、第１直進ガイド筒７の外周側に配置されている第１基板部１０ｄと、第１基板部１０ｄに一体的に連なり、第１直進ガイド筒７の外周側から内周側に向けてコ字状に折り曲がる折り曲がり基板部１０ｅと、折り曲がり基板部１０ｅに一体的に連なり、第１直進ガイド筒７の内周に沿って光軸方向へ第１光学ユニット９に向けて延びる第２基板部１０ｆとを有する。第２基板部１０ｆには、図５および図６に示すように、重ね合せ部１０ａが重ね合わされている。また、第２基板部１０ｆの端部には、第１光学ユニット９の端子（図示せず）に電気的に接続される接続端子部１０ｃ（図４（ａ）に示す）が設けられている。
【００１８】
フレキシブルプリント基板１０は、図４（ａ），（ｂ）に示すようなＵ字状に折り返す展開パターンから形成されたものであり、その一端部にはカメラ本体側との接続端子部１０ｂが、他端部には第１光学ユニット９との接続端子部１０ｃがそれぞれ一体的に形成されている。フレキシブルプリント基板１０の途中部位（第２基板部１０ｆ）には、一体的に連なる幅方向に拡張された部分１０ａが形成されている。この部分１０ａは、フレキシブルプリント基板１０の本体と厚さ方向に重なるように折り返され、上記重ね合せ部分１０ａとして形成される。重ね合せ部１０ａの幅は、上記途中部位の幅と同じになるように設定されている。また、重ね合せ部１０ａの長さは、第１光学ユニット９から第２直進ガイド筒６までの距離より長く設定されている。よって、フレキシブルプリント基板１０の重ね合せ部１０ａが重ね合わされている第２基板部分１０ｆは、他の部分より２倍の厚さを有するので、高い剛性を有する。
【００１９】
本実施の形態のレンズ鏡筒装置においてズーム駆動を行うとき、モータからの駆動力がナルトギア４を介して第３駆動筒２のギア部に伝達され、第３駆動筒２は、光軸方向に回転しながら進退する。このとき、第３直進ガイド筒３も光軸方向に沿って進退するので、第３直進ガイド筒３の内側に形成されたヘリコイドと第２駆動筒５の後端の外周部のへリコイドとが嵌合した状態で、第２駆動筒５の外周のガイド部材が第３駆動筒２の内周部の光軸方向の溝と係合し、第３駆動動筒２と同じ角度分回転する。これにより、第二駆動筒５は、第３直進ガイド筒３に対して光軸方向に沿って回転しながら進退する。第２駆動筒５が光軸方向に沿って進退するとき、第１直進ガイド筒７は第２直進ガイド筒６と互いに結合するので、第１直進ガイド筒７と第２直進ガイド筒６は互い光軸方向に沿って相対的に移動する。これと同時に、第１カム筒８は光軸方向に沿って回転しながら進退する。よって、第１光学ユニット９は、第１直進ガイド筒部材７に対して光軸方向に相対的に移動することになる。
【００２０】
ここで、フレキシブルプリント基板１０の重ね合せ部１０ａが重ね合わされている第２基板部１０ｆは、高い剛性を有するので、第１光学ユニット９と第１直進ガイド筒７とが相対的に運動し、第１直進ガイド筒７と第２直進ガイド筒６とが相対的に運動する場合、フレキシブルプリント基板１０の第２基板部１０ｆが重力の影響を受けて垂れるような変形をすることはない。その結果、フレキシブルプリント基板１０の第２基板部１０ｆの一部が変形して第１光学ユニット９の光路内に侵入することはない。
【００２１】
また、ズーム駆動後、第１光学ユニット９を初期位置に戻す際に、フレキシブルプリント基板１０は確実に初期状態に戻り、局部的に折り曲げられて配線パターンが損傷されるような事態は発生しない。
【００２２】
また、このように構成されたレンズ鏡筒装置を用いれば、コストアップを招くことなく、ズーム駆動に伴うフレキシブルプリント基板の変形、損傷を未然に防止することができるズーム機能付レンズシャッタ式カメラが実現される。
【００２３】
（第２の実施の形態）
次に、本発明の第２の実施の形態について図７を参照しながら説明する。図７は本発明の第２の実施の形態に係るレンズ鏡筒装置のフレキシブルプリント基板に形成されている重ね合せ部の展開図である。
【００２４】
本実施の形態においては、図７に示すように、フレキシブルプリント基板１０の重ね合せ部１０ａと、重ね合せ部１０ａを折り返した際に対向する部位（第２基板部）とのそれぞれに複数のはんだランド１１が設けられており、これらのはんだランド１１により、フレキシブルプリント基板１０の重ね合せ部１０ａと対応する部位との接合が行われる。
【００２５】
（第３の実施の形態）
次に、本発明の第３の実施の形態について図８を参照しながら説明する。図８は本発明の第３の実施の形態に係るレンズ鏡筒装置のフレキシブルプリント基板に形成されている重ね合せ部の展開図である。
【００２６】
本実施の形態においては、図８に示すように、フレキシブルプリント基板１０の重ね合せ部１０ａに両面テープ１２が貼り付けられており、この両面テープ１２により、フレキシブルプリント基板１０の重ね合せ部１０ａと対応する部位（第２基板部）との接合が行われる。
【００２７】
（第４の実施の形態）
次に、本発明の第４の実施の形態について図９を参照しながら説明する。図９は本発明の第４の実施の形態に係るレンズ鏡筒装置のフレキシブルプリント基板に形成されている重ね合せ部の展開図である。
【００２８】
本実施の形態においては、図９に示すように、フレキシブルプリント基板１０の重ね合せ部１０ａとの境界部分に１つ以上の細長い穴１３（本例では２つの穴１３）が形成されている。この穴１３の形成により、フレキシブルプリント基板１０の重ね合せ部１０ａとの境界部分で重ね合せ部１０ａの折り返しを容易にすることができる。
【００２９】
（第５の実施の形態）
次に、本発明の第５の実施の形態について図１０を参照しながら説明する。図１０は本発明の第５の実施の形態に係るレンズ鏡筒装置のフレキシブルプリント基板に形成されている重ね合せ部の展開図である。
【００３０】
本実施の形態においては、図１０に示すように、フレキシブルプリント基板１０の重ね合せ部１０ａにパターン１４が形成されている。ここで、パターン１４は、ダミーのパターンとし、その形状は任意のものとすることができる。このようなパターン１４を形成することによって、重ね合せ部１０ａの剛性を増すことができ、ひいてはフレキシブルプリント基板１０の重ね合せ部１０ａが設けられている第２基板部の剛性を増すことができる。
【図面の簡単な説明】
【００３１】
【図１】本発明の第１の実施の形態に係るレンズ鏡筒装置の分解斜視図である。
【図２】図１のレンズ鏡筒装置の沈胴状態を示す縦断面図である。
【図３】図２のＡ部の詳細図である。
【図４】（ａ）はフレキシブルプリント基板の展開図、（ｂ）は図４（ａ）のＢ部の詳細図である。
【図５】フレキシブルプリント基板の実装状態を示す斜視図である。
【図６】図５のＣ部の詳細図である。
【図７】本発明の第２の実施の形態に係るレンズ鏡筒装置のフレキシブルプリント基板に形成されている重ね合せ部の展開図である。
【図８】本発明の第３の実施の形態に係るレンズ鏡筒装置のフレキシブルプリント基板に形成されている重ね合せ部の展開図である。
【図９】本発明の第４の実施の形態に係るレンズ鏡筒装置のフレキシブルプリント基板に形成されている重ね合せ部の展開図である。
【図１０】本発明の第５の実施の形態に係るレンズ鏡筒装置のフレキシブルプリント基板に形成されている重ね合せ部の展開図である。
【符号の説明】
【００３２】
１  固定筒
６  第２直進ガイド筒
７  第１直進ガイド筒
８  第１カム筒
９  第１光学ユニット
１０  フレキシブルプリント基板
１０ａ  重ね合せ部
１０ｄ  第１基板部
１０ｅ  折り曲がり基板部
１０ｆ  第２基板部
１１  はんだランド
１２  両面テープ
１３  穴
１４  パターン
【図１】
2005221666.tif 000003
【図２】
2005221666.tif 000004
【図３】
2005221666.tif 000005
【図４】
2005221666.tif 000006
【図５】
2005221666.tif 000007
【図６】
2005221666.tif 000008
【図７】
2005221666.tif 000009
【図８】
2005221666.tif 000010
【図９】
2005221666.tif 000011
【図１０】
2005221666.tif 000012